(57)【要約】【課題】従来のように複数のビスを用いて電子機器用実装基板取り付け用リアカバーに実装基板を固定するのではなく、実装基板を回転させて、４箇所の挿し込み部位に同時に挿し込むことにより簡単に取り付けられ、実装基板とフレームとの間のグランド接続も可能とする電子機器用実装基板取り付け用リアカバーへの実装基板固定方法を提供することを目的とする。【解決手段】実装基板の４隅に対応するリアカバー上の４箇所の位置を特定し、そこにリアカバーから略垂直方向に切り立ち上げた挿し込み部位を作成し、４箇所の挿し込み部位にスリットを設け、実装基板を回転させて、実装基板の各４隅を同時に４箇所の挿し込み部位のスリットに挿し込むことによって前記実装基板を固定する。また必要に応じて、ビスを一本設け回転ズレを防ぐ。【選択図】図１
2010118615.tif 000002
【特許請求の範囲】
【請求項１】
電子機器用の実装基板を取り付けるリアカバーであって、
前記実装基板の４隅に対応するリアカバー上の位置に、４個の前記リアカバーから略垂直方向に切り立ち上がった部位（以下「挿し込み部位」ともいう）を有し、
前記４個の挿し込み部位は、前記実装基板の１番目の隅に対応する位置で、前記リアカバーから略垂直方向に切り立ち上がった部位（以下「第１挿し込み部位」ともいう）と、前記実装基板の２番目の隅に対応する位置で、前記「第１挿し込み部位」を９０度回転して得られる形状の、前記リアカバーから略垂直方向に切り立ち上がった部位（以下「第２挿し込み部位」ともいう）と、前記実装基板の３番目の隅に対応する位置で、前記「第２挿し込み部位」を９０度回転して得られる形状の、前記リアカバーから略垂直方向に切り立ち上がった部位（以下「第３挿し込み部位」ともいう）と、前記実装基板の４番目の隅に対応する位置で、前記「第３挿し込み部位」を９０度回転して得られる形状の、前記リアカバーから略垂直方向に切り立ち上がった部位（以下「第４挿し込み部位」ともいう）と、を備え、
前記４箇所の挿し込み部位はそれぞれスリットを備え、前記スリットの入口は前記実装基板を嵌め込み易い範囲で前記実装基板の厚みより大きくし、入口以外の部位には前記実装基板を固定させる範囲で前記実装基板の厚み以下の部分を設け、
前記実装基板を回転させて、前記４箇所の挿し込み部位に同時に前記実装基板を挿し込むことにより、前記実装基板がリアカバーに着実に固定されることを特徴とする電子機器用実装基板取り付け用リアカバー。
【請求項２】
請求項１に記載の電子機器用実装基板取り付け用リアカバーにおいて、
前記４箇所の挿し込み部位は、前記スリットを備える代わりに、前記リアカバーから略垂直方向に切り立ち上がった部位の先端を前記実装基板側に略９０度曲げて作成されるＬ字形状部位と、前記Ｌ字形状部位の両側に前記リアカバーから持ち上げて作成される凸部を有し、
前記Ｌ字形状部位と前記凸部の隙間に前記実装基板を挟んで固定することを特徴とする電子機器用実装基板取り付け用リアカバー。
【請求項３】
請求項１または２に記載の電子機器用実装基板取り付け用リアカバーにおいて、
前記実装基板と前記リアカバーの間の固定をより強固なものとするために、一箇所のネジ留めを有することを特徴とする電子機器用実装基板取り付け用リアカバー。
【請求項４】
請求項１または２に記載の電子機器用実装基板取り付け用リアカバーにおいて、
前記実装基板の固定のズレを防止するために、前記リアカバー上の一箇所にストッパー部位を有することを特徴とする電子機器用実装基板取り付け用リアカバー。
【請求項５】
請求項１乃至４のいずれかに記載の電子機器用実装基板取り付け用リアカバーにおいて、
前記電子機器は液晶表示装置であることを特徴とする電子機器用実装基板取り付け用リアカバー。
【請求項６】
電子機器用の実装基板を電子機器用のリアカバーに取り付ける方法であって、
前記実装基板の４隅に対応するリアカバー上の４箇所の位置を特定する工程と、
前記実装基板の１番目の隅に対応する位置に、前記リアカバーから略垂直方向に切り立ち上げた部位（以下「第１挿し込み部位」ともいう）と、前記実装基板の２番目の隅に対応する位置に前記「第１挿し込み部位」を９０度回転して得られる形状の、前記リアカバーから略垂直方向に切り立ち上げた部位（以下「第２挿し込み部位」ともいう）と、前記実装基板の３番目の隅に対応する位置に、前記「第２挿し込み部位」を９０度回転して得られる形状の、前記リアカバーから略垂直方向に切り立ち上げた部位（以下「第３挿し込み部位」ともいう）と、前記実装基板の４番目の隅に対応する位置に、前記「第３挿し込み部位」を９０度回転して得られる形状の、前記リアカバーから略垂直方向に切り立ち上げた部位（以下「第４挿し込み部位」ともいう）と、を作成する工程と、
前記４箇所の挿し込み部位に、スリットの入口は該実装基板を嵌め込み易い範囲で実装基板の厚みより大きくし、入口以外の部位には実装基板を固定させる範囲で実装基板の厚み以下の部分を設けたスリットを設ける工程と、
前記実装基板を回転させて、前記実装基板の各４隅を同時に前記４箇所の挿し込み部位のスリットに挿し込みことによって前記実装基板を固定する工程と、
前記実装基板と前記リアカバーの間の固定をより強固なものとするために、前記実装基板上に一箇所のネジ留めを設ける工程と、を有することを特徴とする電子機器用実装基板を電子機器用のリアカバーに取り付ける方法。
【請求項７】
電子機器用の実装基板を電子機器用のリアカバーに取り付ける方法であって、
前記実装基板の４隅に対応するリアカバー上の４箇所の位置を特定する工程と、
前記実装基板の１番目の隅に対応する位置に、前記リアカバーから略垂直方向に切り立ち上げた部位（以下「第１挿し込み部位」ともいう）と、前記実装基板の２番目の隅に対応する位置に前記「第１挿し込み部位」を９０度回転して得られる形状の、前記リアカバーから略垂直方向に切り立ち上げた部位（以下「第２挿し込み部位」ともいう）と、前記実装基板の３番目の隅に対応する位置に、前記「第２挿し込み部位」を９０度回転して得られる形状の、前記リアカバーから略垂直方向に切り立ち上げた部位（以下「第３挿し込み部位」ともいう）と、前記実装基板の４番目の隅に対応する位置に、前記「第３挿し込み部位」を９０度回転して得られる形状の、前記リアカバーから略垂直方向に切り立ち上げた部位（以下「第４挿し込み部位」ともいう）と、を作成する工程と、
前記４箇所の挿し込み部位に、前記リアカバーから略垂直方向に切り立ち上がった部位の先端を前記実装基板側に略９０度曲げてＬ字形状部位を作成する工程と、
前記４箇所のＬ字形状部位の両側に前記リアカバーから持ち上げて凸部を設ける工程と、
前記実装基板を回転させて、前記実装基板の各４隅を同時に前記Ｌ字形状部位と前記凸部の隙間に挟んで前記実装基板を固定する工程と
前記実装基板と前記リアカバーの間の固定をより強固なものとするために、前記実装基板上に一箇所のネジ留めを設ける工程と、を有することを特徴とする電子機器用実装基板を電子機器用のリアカバーに取り付ける方法。
【請求項８】
電子機器用の実装基板を電子機器用のリアカバーに取り付ける方法であって、
前記実装基板の４隅に対応するリアカバー上の４箇所の位置を特定する工程と、
前記実装基板の１番目の隅に対応する位置に、前記リアカバーから略垂直方向に切り立ち上げた部位（以下「第１挿し込み部位」ともいう）と、前記実装基板の２番目の隅に対応する位置に前記「第１挿し込み部位」を９０度回転して得られる形状の、前記リアカバーから略垂直方向に切り立ち上げた部位（以下「第２挿し込み部位」ともいう）と、前記実装基板の３番目の隅に対応する位置に、前記「第２挿し込み部位」を９０度回転して得られる形状の、前記リアカバーから略垂直方向に切り立ち上げた部位（以下「第３挿し込み部位」ともいう）と、前記実装基板の４番目の隅に対応する位置に、前記「第３挿し込み部位」を９０度回転して得られる形状の、前記リアカバーから略垂直方向に切り立ち上げた部位（以下「第４挿し込み部位」ともいう）と、を作成する工程と、
前記４箇所の挿し込み部位に、スリットの入口は該実装基板を嵌め込み易い範囲で実装基板の厚みより大きくし、入口以外の部位には実装基板を固定させる範囲で実装基板の厚み以下の部分を設けたスリットを設ける工程と、
前記実装基板の固定のズレを防止するために、前記リアカバー上の一箇所にストッパー部位を設ける工程と、
前記実装基板を回転させて、前記実装基板の各４隅を同時に前記４箇所の挿し込み部位のスリットに挿し込みことによって前記実装基板を固定する工程と、を有することを特徴とする電子機器用実装基板を電子機器用のリアカバーに取り付ける方法。
【請求項９】
電子機器用の実装基板を電子機器用のリアカバーに取り付ける方法であって、
前記実装基板の４隅に対応するリアカバー上の４箇所の位置を特定する工程と、
前記実装基板の１番目の隅に対応する位置に、前記リアカバーから略垂直方向に切り立ち上げた部位（以下「第１挿し込み部位」ともいう）と、前記実装基板の２番目の隅に対応する位置に前記「第１挿し込み部位」を９０度回転して得られる形状の、前記リアカバーから略垂直方向に切り立ち上げた部位（以下「第２挿し込み部位」ともいう）と、前記実装基板の３番目の隅に対応する位置に、前記「第２挿し込み部位」を９０度回転して得られる形状の、前記リアカバーから略垂直方向に切り立ち上げた部位（以下「第３挿し込み部位」ともいう）と、前記実装基板の４番目の隅に対応する位置に、前記「第３挿し込み部位」を９０度回転して得られる形状の、前記リアカバーから略垂直方向に切り立ち上げた部位（以下「第４挿し込み部位」ともいう）と、を作成する工程と、
前記４箇所の挿し込み部位に、前記リアカバーから略垂直方向に切り立ち上がった部位の先端を前記実装基板側に略９０度曲げてＬ字形状部位を作成する工程と、
前記４箇所のＬ字形状部位の両側に前記リアカバーから持ち上げて凸部を設ける工程と、
前記実装基板の固定のズレを防止するために、前記リアカバー上の一箇所にストッパー部位を設ける工程と、
前記実装基板を回転させて、前記実装基板の各４隅を同時に前記Ｌ字形状部位と前記凸部の隙間に挟んで前記実装基板を固定する工程と、を有することを特徴とする電子機器用実装基板を電子機器用のリアカバーに取り付ける方法。
【請求項１０】
請求項６乃至９のいずれかに記載の電子機器用実装基板をリアカバーに取り付ける方法において、
前記電子機器は液晶表示装置であることを特徴とする電子機器用の実装基板をリアカバーに取り付ける方法。
【発明の詳細な説明】
【技術分野】
【０００１】
本発明は、電子機器を駆動させる実装基板を電子機器のリアカバーに取り付ける構造と方法に関し、従来のネジによる実装基板の固定方法に代わり、容易かつ安全に基板を取り付ける構造と方法に関する。
【背景技術】
【０００２】
液晶表示装置を駆動させる実装基板（電源回路、駆動回路、インバーター等の電子部品が実装されたプリント基板）は、通常、液晶パネルの裏面の板金カバーであるリアカバーにネジで固定されている場合が多い。ネジによる基板の固定作業は、組み立て現場での組み立てミス減少や作業時間短縮の弊害ともなっている。また数種類に及ぶネジの使用は部品管理や製品コストにも悪影響を与えうる。
【０００３】
インバータ基板、パネルコントロール基板、電源基板等の数種類のプリント基板をパネルの背面に固定する作業の際に、基板の固定位置は重要である。通常、矩形の基板に対し各隅に固定位置を設け、基板の安定性を確保できる固定が望まれる。
【０００４】
基板の固定作業の際に、ネジの使用を最小限にとどめて容易に取り付けられ、かつ基板に曲げ応力等の負担をかけることなく、安全に該実装基板を該リアカバーに取り付けられれば、部品点数の削減と組み立てに要する作業性が向上するとともに、製品の品質に悪影響を与えることなく製造コストの削減が可能となる。なお、本発明は液晶表示装置を駆動させる実装基板に限定されない。
【０００５】
実装基板の固定、保持、組み立てに関する公知技術が文献１乃至２に開示されている。
【０００６】
【特許文献１】実開平５−６７０７４
【特許文献２】実開平６−７０２９４
【発明の開示】
【発明が解決しようとする課題】
【０００７】
文献１の場合は、図７に考案の概要の説明図を示したように、プリント基板を固定するために設置された基板固定台には、基板を差し込むための差込溝のほかに、プリント基板全体を機器に設置する際使用するビスを挿入する孔が形成されていて、該基板固定台は該挿通孔にビスを挿入することにより、基板の固定を図っている。しかしながら、本発明においては、基板の挿し込み部位は、リアカバー上の所定の位置でリアカバー面から一部切り立ちおよび／または持ち上げにより作成されたものであって、追加部品の作成・設置などを必要とせずに作成でき、また固定のためのビス等も不要である。
【０００８】
また、文献２の場合は、筐体に溶接等で固着された基板保持用バネによる固定方法であるが、基板の一部（アース部）を両面より挟持することで基板を保持する構造であり、基板保持バネを介してアースも可能な構造ともなっている。しかしながら、本発明においては、基板の挿し込み部位は、リアカバー上の所定の位置で、リアカバー面から一部切り立ちおよび／または持ち上げにより一体成形で作成されたものであって、追加部品の作成や溶接等の設置作業などを必要とせず、容易に基板をリアカバーに固定でき、実装基板と電子機器間のグランドを取ることも可能である。
【０００９】
そこで、本発明は、実装基板を回転させて、電子機器用実装基板取り付け用リアカバー上に設置された４箇所の挿し込み部位に同時に挿し込むことにより簡単に取り付けられ、実装基板とフレームとの間のグランド接続も可能とする実装基板を電子機器用実装基板取り付け用リアカバーに取り付ける方法を提供することを目的とする。
【課題を解決するための手段】
【００１０】
請求項１に記載の発明は、電子機器用の実装基板を取り付けるリアカバーであって、
前記実装基板の４隅に対応するリアカバー上の位置に、４個の前記リアカバーから略垂直方向に切り立ち上がった部位（以下「挿し込み部位」ともいう）を有し、
前記４個の挿し込み部位は、前記実装基板の１番目の隅に対応する位置で、前記リアカバーから略垂直方向に切り立ち上がった部位（以下「第１挿し込み部位」ともいう）と、前記実装基板の２番目の隅に対応する位置で、前記「第１挿し込み部位」を９０度回転して得られる形状の、前記リアカバーから略垂直方向に切り立ち上がった部位（以下「第２挿し込み部位」ともいう）と、前記実装基板の３番目の隅に対応する位置で、前記「第２挿し込み部位」を９０度回転して得られる形状の、前記リアカバーから略垂直方向に切り立ち上がった部位（以下「第３挿し込み部位」ともいう）と、前記実装基板の４番目の隅に対応する位置で、前記「第３挿し込み部位」を９０度回転して得られる形状の、前記リアカバーから略垂直方向に切り立ち上がった部位（以下「第４挿し込み部位」ともいう）と、を備え、
前記４箇所の挿し込み部位はそれぞれスリットを備え、前記スリットの入口は前記実装基板を嵌め込み易い範囲で前記実装基板の厚みより大きくし、入口以外の部位には前記実装基板を固定させる範囲で前記実装基板の厚み以下の部分を設け、
前記実装基板を回転させて、前記４箇所の挿し込み部位に同時に前記実装基板を挿し込むことにより、前記実装基板がリアカバーに着実に固定されることを特徴とする。
【００１１】
請求項２に記載の発明は、請求項１に記載の電子機器用実装基板取り付け用リアカバーに係り、
前記挿し込み部位は、前記スリットを備える代わりに、前記リアカバーから略垂直方向に切り立ち上がった部位の先端を前記実装基板側に略９０度曲げて作成されるＬ字形状部位と、前記Ｌ字形状部位の両側に前記リアカバーから持ち上げて作成される凸部を有し、
前記Ｌ字形状部位と前記凸部の隙間に前記実装基板を挟んで固定することを特徴とする。
【００１２】
請求項３に記載の発明は、請求項１または２に記載の電子機器用実装基板取り付け用リアカバーに係り、
前記実装基板と前記リアカバーの間の固定をより強固なものとするために、一箇所のネジ留めを有することを特徴とする。
【００１３】
請求項４に記載の発明は、請求項１または２に記載の電子機器用実装基板取り付け用リアカバーに係り、
前記実装基板の固定のズレを防止するために、前記リアカバー上の一箇所にストッパー部位を有することを特徴とする。
【００１４】
請求項５に記載の発明は、請求項１乃至５のいずれかに記載の電子機器用実装基板取り付け用リアカバーに係り、
前記電子機器は液晶表示装置であることを特徴とする。
【００１５】
請求項６に記載の発明は、電子機器用の実装基板を電子機器用のリアカバーに取り付ける方法であって、
前記実装基板の４隅に対応するリアカバー上の４箇所の位置を特定する工程と、
前記実装基板の１番目の隅に対応する位置に、前記リアカバーから略垂直方向に矩形形状に切り立ち上げた部位（以下「第１挿し込み部位」ともいう）と、前記実装基板の２番目の隅に対応する位置に前記「第１挿し込み部位」を９０度回転して得られる形状の、前記リアカバーから略垂直方向に切り立ち上げた部位（以下「第２挿し込み部位」ともいう）と、前記実装基板の３番目の隅に対応する位置に、前記「第２挿し込み部位」を９０度回転して得られる形状の、前記リアカバーから略垂直方向に切り立ち上げた部位（以下「第３挿し込み部位」ともいう）と、前記実装基板の４番目の隅に対応する位置に、前記「第３挿し込み部位」を９０度回転して得られる形状の、前記リアカバーから略垂直方向に切り立ち上げた部位（以下「第４挿し込み部位」ともいう）と、を作成する工程と、
前記４箇所の挿し込み部位に、スリットの入口は該実装基板を嵌め込み易い範囲で実装基板の厚みより大きくし、入口以外の部位には実装基板を固定させる範囲で実装基板の厚み以下の部分を設けたスリットを設ける工程と、
前記実装基板を回転させて、前記実装基板の各４隅を同時に前記４箇所の挿し込み部位のスリットに挿し込みことによって前記実装基板を固定する工程と、
前記実装基板と前記リアカバーの間の固定をより強固なものとするために、前記実装基板上に一箇所のネジ留めを設ける工程と、を有することを特徴とする。
【００１６】
請求項７に記載の発明は、電子機器用実装基板を電子機器用リアカバーに取り付ける方法であって、
前記実装基板の４隅に対応するリアカバー上の４箇所の位置を特定する工程と、
前記実装基板の１番目の隅に対応する位置に、前記リアカバーから略垂直方向に矩形形状に切り立ち上げた部位（以下「第１挿し込み部位」ともいう）と、前記実装基板の２番目の隅に対応する位置に前記「第１挿し込み部位」を９０度回転して得られる形状の、前記リアカバーから略垂直方向に切り立ち上げた部位（以下「第２挿し込み部位」ともいう）と、前記実装基板の３番目の隅に対応する位置に、前記「第２挿し込み部位」を９０度回転して得られる形状の、前記リアカバーから略垂直方向に切り立ち上げた部位（以下「第３挿し込み部位」ともいう）と、前記実装基板の４番目の隅に対応する位置に、前記「第３挿し込み部位」を９０度回転して得られる形状の、前記リアカバーから略垂直方向に切り立ち上げた部位（以下「第４挿し込み部位」ともいう）と、を作成する工程と、
前記４箇所の挿し込み部位に、前記リアカバーから略垂直方向に切り立ち上がった部位の先端を前記実装基板側に略９０度曲げてＬ字形状部位を作成する工程と、
前記４箇所のＬ字形状部位の両側に前記リアカバーから持ち上げて凸部を設ける工程と、
前記実装基板を回転させて、前記実装基板の各４隅を同時に前記Ｌ字形状部位と前記凸部の隙間に挟んで前記実装基板を固定する工程と
前記実装基板と前記リアカバーの間の固定をより強固なものとするために、前記実装基板上に一箇所のネジ留めを設ける工程と、を有することを特徴とする。
【００１７】
請求項８に記載の発明は、電子機器用実装基板を電子機器用リアカバーに取り付ける方法であって、
前記実装基板の４隅に対応するリアカバー上の４箇所の位置を特定する工程と、
前記実装基板の１番目の隅に対応する位置に、前記リアカバーから略垂直方向に矩形形状に切り立ち上げた部位（以下「第１挿し込み部位」ともいう）と、前記実装基板の２番目の隅に対応する位置に前記「第１挿し込み部位」を９０度回転して得られる形状の、前記リアカバーから略垂直方向に切り立ち上げた部位（以下「第２挿し込み部位」ともいう）と、前記実装基板の３番目の隅に対応する位置に、前記「第２挿し込み部位」を９０度回転して得られる形状の、前記リアカバーから略垂直方向に切り立ち上げた部位（以下「第３挿し込み部位」ともいう）と、前記実装基板の４番目の隅に対応する位置に、前記「第３挿し込み部位」を９０度回転して得られる形状の、前記リアカバーから略垂直方向に切り立ち上げた部位（以下「第４挿し込み部位」ともいう）と、を作成する工程と、
前記４箇所の挿し込み部位に、スリットの入口は該実装基板を嵌め込み易い範囲で実装基板の厚みより大きくし、入口以外の部位には実装基板を固定させる範囲で実装基板の厚み以下の部分を設けたスリットを設ける工程と、
前記実装基板の固定のズレを防止するために、前記リアカバー上の一箇所にストッパー部位を設ける工程と、
前記実装基板を回転させて、前記実装基板の各４隅を同時に前記４箇所の挿し込み部位のスリットに挿し込みことによって前記実装基板を固定する工程と、を有することを特徴とする。
【００１８】
請求項９に記載の発明は、電子機器用の実装基板を電子機器用のリアカバーに取り付ける方法であって、
前記実装基板の４隅に対応するリアカバー上の４箇所の位置を特定する工程と、
前記実装基板の１番目の隅に対応する位置に、前記リアカバーから略垂直方向に矩形形状に切り立ち上げた部位（以下「第１挿し込み部位」ともいう）と、前記実装基板の２番目の隅に対応する位置に前記「第１挿し込み部位」を９０度回転して得られる形状の、前記リアカバーから略垂直方向に切り立ち上げた部位（以下「第２挿し込み部位」ともいう）と、前記実装基板の３番目の隅に対応する位置に、前記「第２挿し込み部位」を９０度回転して得られる形状の、前記リアカバーから略垂直方向に切り立ち上げた部位（以下「第３挿し込み部位」ともいう）と、前記実装基板の４番目の隅に対応する位置に、前記「第３挿し込み部位」を９０度回転して得られる形状の、前記リアカバーから略垂直方向に切り立ち上げた部位（以下「第４挿し込み部位」ともいう）と、を作成する工程と、
前記４箇所の挿し込み部位に、前記リアカバーから略垂直方向に切り立ち上がった部位の先端を前記実装基板側に略９０度曲げてＬ字形状部位を作成する工程と、
前記４箇所のＬ字形状部位の両側に前記リアカバーから持ち上げて凸部を設ける工程と、
前記実装基板の固定のズレを防止するために、前記リアカバー上の一箇所にストッパー部位を設ける工程と、
前記実装基板を回転させて、前記実装基板の各４隅を同時に前記Ｌ字形状部位と前記凸部の隙間に挟んで前記実装基板を固定する工程と、を有することを特徴とする。
【００１９】
請求項１０に記載の発明は、請求項６乃至９のいずれかに記載の電子機器用実装基板をリアカバーに取り付ける方法において、前記電子機器は液晶表示装置であることを特徴とする。
【発明の効果】
【００２０】
本発明によれば、実装基板を回転させて４箇所の挿し込み部位に同時に挿し込むことにより、基板にストレスをかけることなく、簡単に取り付けられ、実装基板とフレームとの間のグランド接続も可能とし、部品点数の削減及び組み立てに要する作業性を向上させることにより製造コストの削減が可能となる。
【発明を実施するための最良の形態】
【００２１】
（実施の形態１）
【００２２】
以下、図を参照しつつ、発明を実施するための最良の形態につき説明する。
【００２３】
図１は本発明の実施の形態１に係る電子機器用実装基板取り付け用リアカバーの構成の概略を説明するための説明図である。
【００２４】
図１において、１００はリアカバーであり、１１０および１１１は実装基板であり、１０１，１０２，１０３，１０４はリアカバー上に設けられた挿し込み部位であり、１０５はリアカバー上に設けられたストッパーである。リアカバー上の実装基板１１０は１０６の矢印方向に回転して、４隅を各挿し込み部位（１０１，１０２，１０３，１０４）に嵌め込むことによって固定される（実装基板１１１は、回転により４隅を各挿し込み部位に挿し込まれた後の基板を表す）。なお、各挿し込み部位はプレス加工等によりリアカバーと一体成形により作成されるものであって、追加の部品を必要とせず、製造コストを抑えられる。
【００２５】
図２は、リアカバー上に設けられた挿し込み部位１０１の説明用斜視図であり、１０２，１０３，１０４の各挿し込み部位もこれと同様の構造を持つ。図２において、１００はリアカバーであり、挿し込み部位１０１はリアカバー１００の所定の位置に、リアカバーから切り立ち上げられて作成され、その一部にスリット１２０が設けられる。
【００２６】
図３は、図２で示された挿し込み部位１０１に設けられたスリット１２０を説明するための説明用Ａ−Ａ切断線断面図である。１２１はスリット入り口部分であり、実装基板１１１の厚みよりも大きくして基板を挿しこみ易くし、入り口以外の部分１２２には実装基板１１１の厚みよりも小さい部分１２３を設けて、基板が安定してスリット１２０に固定されるように構成されている。
【００２７】
実装基板１１０は回転され、リアカバー１００に設置された４箇所の挿し込み部位（１０１，１０２，１０３，１０４）に同時に挿し込まれ、基板に曲げ応力等を発生させることなく、１１１で示されるように安定してリアカバーに固定される。この際、実装基板とリアカバーの間の固定をより強固なものとし、基板に外力が働いた場合にも基板が挿し込み部位から抜けることを防止する方法として、基板上の適当な位置に一箇所のネジ留めを設ける。
【００２８】
ネジ留め以外の基板固定強化策としては、リアカバー１００上の所定の位置に、挿し込み部位作成時にストッパー１０５をリアカバーから切り立ち上げて作成する。
【００２９】
図４はストッパーにより基板が固定される様子を説明するための説明用Ｂ−Ｂ切断線断面図である。実装基板１１０は回転により、リアカバー１００に設置された４箇所の挿し込み部位（１０１，１０２，１０３，１０４）に同時に挿し込まれるとともに、リアカバー１００に設置されたストッパー１０５によっても固定され、基板挿入後に生じるうる外力による回転を防止することができ、基板に曲げ応力等を発生させることなく、１１１で示されるように基板は安定してリアカバーに固定できる。ストッパー１０５は、実装基板１１０をリアカバー１００に設置する際に障害とならない位置であれば良く、少なくとも１箇所リアカバー１００上に切り立ち上げて作成されるものであって、プレス加工等により一体成形で作成される。
【００３０】
（実施の形態２）
【００３１】
図５は本発明の実施の形態２に係る電子機器用実装基板取り付け用リアカバーの構成の概略を説明するための説明図である。実施の形態２に係る電子機器用実装基板取り付け用リアカバーは、図１で示す１０１，１０２，１０３，１０４の位置に、実施の形態１とは形状の異なる、Ｌ字形状挿し込み部位１５１，１５２，１５３，１５４を備えている。
【００３２】
図５において、１００はリアカバーであり、１５１は、リアカバーから略垂直方向に切り立ち上げた部位１５０の先端部分を、挿しこまれる実装基板側に略９０度曲げて作成されたＬ字形状挿し込み部位である。１６０はＬ字形状挿し込み部位１５１のうち、基板に略平行な面を有する部位である。１６１および１６２は、Ｌ字形状挿し込み部位１５１の両側の位置にリアカバーから略垂直方向に持ち上げられて作成された凸部形状の保持部位であって、実装基板は１６０と１６１及び１６２の間の隙間に挿しこまれて固定される。なお他のＬ字形状挿し込み部位１５２，１５３，１５４についても１５１と同様の構造を持つ。また、Ｌ字形状挿し込み部位は実施の形態１と同じく、プレス加工等によりリアカバーと一体成形により作成されるものであって、追加の部品を必要とせず、製造コストを抑えられる。
【００３３】
図１で示されたリアカバー上の実装基板１１０は、１０６の矢印方向に回転して、４隅を各Ｌ字形状挿し込み部位（１５１，１５２，１５３，１５４）に設けられた各隙間に挿しこまれて固定される（実装基板１１１は、回転により４隅を各Ｌ字形状挿し込み部位に挿し込まれた後の基板を表す）。
【００３４】
図６は、図５で示されたＬ字形状挿し込み部位１５１に実装基板１１０を挿しこんだ際に、Ｌ字形状挿し込み部位の一部である１６０及び凸部１６２により、基板が固定される様子を説明するための説明図である。
【００３５】
１６３はＬ字形状挿し込み部位１５１の入り口部分であり、１６４はＬ字形状挿し込み部位１５１の基板に略平行な部分１６０のうち入り口以外の部分であり、１６５は、Ｌ字形状挿し込み部位１５１の一部である１６０と、２箇所の凸部形状保持部位１６１及び１６２との間の隙間である。隙間１６５に基板が安定して挿しこまれるように、隙間１６５の大きさを調整して、入り口部分は実装基板１１１の厚みよりも大きくして基板を挿しこみ易くし、入り口以外の部分には実装基板１１１の厚みよりも小さい部分を設ける構造として、挿入された基板の固定を図っている。なお、他方の基板保持凸部位１６１は、１６２の奥にあって重なっているため図上では見えない。形状は１６２と同様であって、基板１１１を保持している。
【００３６】
実装基板１１０は回転され、リアカバー１００に設置された４箇所のＬ字形状挿し込み部位（１５１，１５２，１５３，１５４）に同時に挿し込まれ、基板に曲げ応力等を発生させることなく、１１１で示されるように安定してリアカバーに固定される。この際、実装基板とリアカバーの間の固定をより強固なものとし、基板に外力が働いた場合にも基板が挿し込み部位から抜けることを防止する方法として、基板上の適当な位置に一箇所のネジ留めを設ける。またネジ留め以外の基板固定強化策としては、リアカバー１００上の所定の位置に、Ｌ字形状挿し込み部位および凸部形状保持部位の作成時に、ストッパー１０５をリアカバーから切り立ち上げて作成する。詳しい説明は実施の形態１における場合と同様であるため省略する。
【図面の簡単な説明】
【００３７】
【図１】本発明の実施の形態１に係る電子機器用実装基板取り付け用リアカバーの構成の概略を説明するための説明図である。
【図２】リアカバー上に設けられた挿し込み部位１０１の説明用斜視図である。
【図３】挿し込み部位１０１に設けられたスリットに基板が固定される様子を説明する説明用Ａ−Ａ切断線断面図である。
【図４】ストッパーにより基板が固定される様子を説明するためのＢ−Ｂ切断線断面図である。
【図５】本発明の実施の形態２に係る電子機器用実装基板取り付け用リアカバーの構成の概略を説明するための説明図である。
【図６】Ｌ字形状挿し込み部位の一部である１６０及び凸部１６２により基板が固定される様子を説明するための説明図である。
【図７】文献１の考案の概要を示す斜視図である。
【符号の説明】
【００３８】
１００      電子機器用実装基板取り付け用リアカバー
１０１      第１挿し込み部位
１０２      第２挿し込み部位
１０３      第３挿し込み部位位
１０４      第４挿し込み部位
１０５      ストッパー部位
１０６      回転方向を表す矢印
１１０      電子機器用実装基板取り付け用リアカバー上に置かれた実装基板
１１１      回転により、挿し込み部位に嵌め込まれた実装基板
【図１】
2010118615.tif 000003
【図２】
2010118615.tif 000004
【図３】
2010118615.tif 000005
【図４】
2010118615.tif 000006
【図５】
2010118615.tif 000007
【図６】
2010118615.tif 000008
【図７】
2010118615.tif 000009